(57)【要約】      （修正有）【課題】磁気ディスク装置の磁気ディスク媒体交換等の修理に際して、磁気ディスク媒体上から外した磁気ヘッド同士が接触しないように保持する。【解決手段】磁気ディスク修理用治具１００はガイドアーム２００と支柱３００から成り、ガイドアーム２００はその先端部から張り出した鍔に沿って、磁気ディスク媒体上にある磁気ヘッドのサスペンションを滑らせ所定位置に保持する保持部を有し、支柱は複数のガイドアームがその間隔を任意に設定してネジ４００により固定する、ものであるよう構成する。【選択図】図１
2008226288.tif 000002
【特許請求の範囲】
【請求項１】
磁気ディスク媒体上にある磁気ヘッドのサスペンションを、先端部から張り出した鍔に沿って滑らせ所定位置に保持する保持部を有し、該先端部と反対の端部を留めネジ孔を設けた留め具に嵌着したガイドアームと、
複数の前記ガイドアームを、該ガイドアーム間の間隔を任意に設定して前記留めネジ孔にネジを螺合して固定する支柱と
を備えることを特徴とする磁気ディスク修理用治具。
【請求項２】
前記鍔は、前記ガイドアームの先端部の上下２カ所に設けた
ことを特徴とする請求項１に記載の磁気ディスク修理用治具。
【請求項３】
前記鍔は、前記磁気ディスク媒体の表面の所定高さから上昇する傾斜面を有する
ことを特徴とする請求項１または請求項２に記載の磁気ディスク修理用治具。
【請求項４】
前記鍔は、プラスチックである
ことを特徴とする請求項１乃至請求項３に記載の磁気ディスク修理用治具。
【請求項５】
前記鍔、前記ガイドアームおよび前記支柱の表面は、静電気の帯電を防止する表面処理を施している
ことを特徴とする請求項１乃至請求項４に記載の磁気ディスク修理用治具。
【発明の詳細な説明】
【技術分野】
【０００１】
本発明は磁気ディスク装置の修理用治具に関し、より詳細には磁気ディスク装置の磁気ディスク媒体交換等の修理に際して、磁気ヘッドを磁気ディスク媒体上から外し、外した磁気ヘッド同士が接触しないように保持する修理用治具に関するものである。
【背景技術】
【０００２】
コンピュータの補助記憶装置として、磁気ディスク装置が広く普及している。磁気ディスク装置１０の基本の構造は、図６に示されるように、磁性体を塗布した円板（磁気ディスク媒体２０）と、この媒体に対して読み書きを行う磁気ヘッド３０、磁気ヘッド３０を任意のトラック位置に位置決めするアクチュエータ４０および制御回路（図示せず）から構成される（厳密には、磁気ヘッドはスライダ上に形成されるが、ここではスライダを含めて磁気ヘッドと言う）。
【０００３】
より詳細には、磁気ヘッド３０はサスペンション４１とヘッドアーム４２を介してアクチュエータ４０に繋がり、このアクチュエータ４０によって磁気ヘッド３０は磁気ディスク媒体２０上の半径方向に移動して任意のトラックに位置決めされる。また、磁気ディスク媒体２０は図７に示すように（図７は、図６のａ−ａ’断面を示している）、環状のディスクスペーサ２１を２枚の磁気ディスク媒体２０間に配置し、ハブ２２とディスククランプ２３間で挟まれ固定ネジ２４で固定されている。ハブ２２は、スピンドルモーター２５の回転軸に固定され、スピンドルモーター２５の回転によって磁気ディスク媒体２０は回転する。これらの構成部品はベース５０上に配置され、塵埃が入り込まないようにカバー（図示せず）によって密閉される。ここでは、磁気ディスク媒体２０が２枚の例を示したが、１枚から数枚の構成が一般的である。また、磁気ヘッド３０は磁気ディスク媒体２０の両面を挟んで配置される（図７に示した磁気ディスク媒体２０は２枚構成であるので、磁気ヘッド３０は合計４個を搭載していることになる）。
【０００４】
磁気ディスク装置１０は、修理のため、あるいは組立完成後に何らかの不具合が生じたために磁気ディスク媒体２０やアクチュエータ４０を交換のために取り外すことがある。磁気ヘッド３０は上述したように複数枚あるそれぞれの磁気ディスク媒体２０の面を挟んだ状態で配置しているので、磁気ディスク媒体２０の交換を行う場合には磁気ヘッド３０を磁気ディスク媒体２０の外周方向に移動させて、磁気ディスク媒体２０上の位置から外れた所までもっていき、それから交換作業に入ることになる。このとき、磁気ヘッド３０を磁気ディスク媒体２０から外すと磁気ディスク媒体２０を挟んでいた磁気ヘッド３０同士が接触し、磁気ヘッド３０を壊してしまうため、磁気ディスク媒体２０から外した磁気ヘッド３０が互いに接触しない状態で保持する治具を用いていた。
【０００５】
この治具６０は、図８に示すように磁気ディスク媒体２０が２枚の場合は、２つのガイドアーム６１を磁気ディスク媒体２０の取付けピッチに合わせ、それらが一体となるように製作していた。ガイドアーム６１の先端は上下に庇が突き出すように鍔６２を形成している（即ち、断面が「コ」の字に開口した構造となっている）。この開口部分に磁気ディスク媒体２０の外縁部分を入れ、磁気ディスク媒体２０上にあるサスペンション４１（図８のサスペンション４１の（１）の位置）を鍔６２の上面（磁気ディスク媒体２０の下面にある磁気ヘッド３０のサスペンション４１に対しては鍔６２の下面になる）の傾斜面を滑らして（同、（２）の位置）、磁気ディスク媒体２０上の位置から磁気ディスク媒体２０が外れる位置まで図８の「ｃ」の方向に移動（回転移動）させ、サスペンション４１をその位置（同、（３）の位置）で保持する。図８では１番上のサスペンション４１のみを示しているが、他に上の媒体の下面と、下の媒体の上下面にもサスペンション４１があり（図示せず）、これらのサスペンション４１に対しても同様にそれぞれに対応するガイドアーム６１の保持位置で保持される。
この治具のガイドアーム６１間の間隔「ｅ」は磁気ディスク媒体２０の取付けピッチ「ｈ」に合わせ、ガイドアーム６１の開口部の寸法「ｆ」は磁気ディスク媒体２０の厚さ「ｉ」とサスペンションの媒体面からの高さ「ｊ」を考慮して決められる（図８に示すように磁気ディスク媒体２０の取付けピッチ「ｈ」は、ディスクスペーサ２１の寸法「ｇ」と媒体厚「ｉ」の和となる）。
サスペンション４１が治具６０により保持された状態では、図９に示すようにサスペンション４１が開いた状態にあり、磁気ヘッド３０同士が接触することはない。磁気ディスク媒体２０の交換が終了した後には、治具６０に保持した位置から図８で示す「ｄ」の方向にサスペンション４１を移動し、磁気ディスク媒体２０上に磁気ヘッド３０を戻す。
後述する本発明と同様の目的で、磁気ディスク装置の完成体から構成要素である部品を交換可能とする提案がなされている。これは、磁気ヘッドを搭載したスライダの交換を可能とするもので、磁気ディスク装置筐体の側面に開口部を設けるとともに、サスペンションを保持固定するアンロードランプにガイド溝を設けおく。サスペンションをアンロードランプに格納した状態にしておき、開口部からこのガイド溝を通してスライダの交換を可能とする提案である。交換可能とすることで、磁気ディスク装置としての歩留りを向上させることができるものである（特許文献１）。    
【特許文献１】特開２００４−１６４７０２号公報
【発明の開示】
【発明が解決しようとする課題】
【０００６】
上記に述べたように、磁気ディスク媒体等の交換のため磁気ヘッドを磁気ディスク媒体上から外し、外した磁気ヘッドが互いに接触しないようにするため治具を用いてサスペンション部分を保持するようにしていた。この治具は、磁気ディスク装置に装着している磁気ディスク媒体の枚数とその媒体の取付けピッチ、および媒体厚に対応した専用治具として製作していた。
【０００７】
しかしながら、磁気ディスク装置はメーカーとそのメーカーが製作するモデルによって装着する磁気ディスク媒体の枚数や取付けピッチ、媒体厚は異なり、これらに対応した専用治具を全て揃えることは組合せの数が膨大なものとなり、困難であった。
【０００８】
そのため、比較的多く取り扱う磁気ディスク装置に対しては専用治具を用意しておくものの、それ以外の磁気ディスク装置の修理が必要となった場合は、その磁気ディスク装置に合わせた専用治具を製作することになり、治具を新たに製作するために修理に多くの時間を要していた。
【０００９】
特許文献１の発明は、スライダーの交換には有効と考えるが、磁気ディスク媒体やアクチュエータ等の交換に関して考慮されたものではない。
【００１０】
本発明は、媒体厚に合わせたガイドアームを予め用意しておき、媒体の枚数や取付けピッチが異なってもユニバーサルに対応できる磁気ディスク修理用治具を提供することを目的とする。
【課題を解決するための手段】
【００１１】
本発明の磁気ディスク修理用治具は以下のように構成される。
（１）第１の発明     
第１の発明の磁気ディスク修理用治具は、次に示すガイドアームと支柱とを備えることを特徴とするものである。
【００１２】
ガイドアームは、磁気ディスク媒体上にある磁気ヘッドのサスペンションを、先端部から張り出した鍔に沿って滑らせ所定位置に保持する保持部を有し、その先端部と反対の端部を留めネジ孔を設けた留め具に嵌着したものである。
【００１３】
支柱は、複数のガイドアームを、ガイドアーム間の間隔を任意に設定して留めネジ孔にネジを螺合して固定するものである。
【００１４】
上記により、ガイドアームを支柱に任意の間隔で固定できるので、磁気ディスク媒体の枚数や取付けピッチが異なっても磁気ヘッド同士が接触することのなくサスペンションを保持する治具を提供できる。
（２）第２の発明
第２の発明は、第１の発明の磁気ディスク修理用治具の鍔は、ガイドアームの先端部の上下２カ所に設けた、ことを特徴とするものである。
【００１５】
これにより、１個のガイドアームで磁気ディスク媒体の両面に配置した磁気ヘッドのサスペンションを保持できる。
（３）第３の発明
第３の発明は、第１と第２の発明の磁気ディスク修理用治具の鍔は、磁気ディスク媒体の表面の所定高さから上昇する傾斜面を有する、ことを特徴とするものである。
【００１６】
これにより、磁気ヘッドのサスペンションを滑らかにまで移動させ、サスペンションを開いた状態で保持できる。サスペンションが開くことにより、磁気ヘッド同士を接触しない状態に保持できる。
（４）第４の発明
第４の発明は、第１から第３の発明における磁気ディスク修理用治具の鍔がプラスチックである、ことを特徴とするものである。
【００１７】
鍔をプラスチック製としたことで、鍔が磁気ディスク媒体と接触しても磁気ディスク媒体を傷つないようにすることができる。
（５）第５の発明
第５の発明は、第１から第４の発明における磁気ディスク修理用治具の鍔とガイドアームおよび支柱の表面は、静電気の帯電を防止する表面処理を施している、ことを特徴とするものである。
【００１８】
これにより、治具に静電気が蓄積されることがなく、静電気による磁気ヘッド破壊を防止できる。
【発明の効果】
【００１９】
上述のように本発明によれば、次に示す効果が得られる。
【００２０】
第１の発明により、ガイドアームの支柱への取付け位置を可変きるようにしたので、異なる磁気ディスク媒体の枚数や取付けピッチに対してユニバーサルに対応できる磁気ディスク修理用治具の提供ができる。
【００２１】
第２の発明により、上下に鍔を設けるようにしたので、１つのガイドアームで磁気ディスク媒体両面に配置されるサスペンションを同時に保持することができる。
【００２２】
第３の発明により、鍔に上昇する傾斜面を持たせたので、サスペンションを鍔の先端から保持位置まで滑らかに移動させることができるとともに、サスペンションが保持された状態で磁気ヘッド同士の接触を防止できる。
【００２３】
第４の発明により、鍔の材質をプラスチック製としたので、仮に鍔が磁気ディスク媒体と接触しても磁気ディスク媒体を傷つけることがない。
【００２４】
第５の発明により、磁気ディスク修理用治具を構成する部品の表面に静電対策の表面処理を施すようにしたので、磁気ヘッドの静電破壊を防止できる。
【発明を実施するための最良の形態】
【００２５】
磁気ディスク修理用治具の実施形態を、図１から図５を用いて説明する。
磁気ディスク修理用治具１００（以降、修理用治具と言う）は、図１に示すようにガイドアーム２００と支柱３００から構成される。図１に示した修理用治具１００は、磁気ディスク媒体が２枚の場合の例で、支柱３００にはその２枚の磁気ディスク媒体の取付けピッチに対応するようにガイドアーム２００間の間隔を設定し、ネジ４００によりガイドアーム２００を支柱に固定している。ガイドアーム２００と支柱３００の詳細について次に説明する。
【００２６】
図２はガイドアーム２００を示し、上の図はガイドアーム２００の平面図、下の図は側面図である。アームバー２１０の左側の先端部には、アームバー２１０から張り出した鍔２２０を上下に取り付けている。鍔２２０はプラスチック製の導電性フィルムで、アルミニュウムで作成したアームバー２１０と、導電性接着剤で固着している。プラスチック製の鍔２２０はサスペンション４１の押圧力約３ｇに耐えられることが必要であり、ここでは５０μｍのフィルムを用いている。側面図に示すように、上側の鍔２２０は張り出し部分が上方に傾斜するようにしている（下側の鍔２００はこの逆になる）。この傾斜が、サスペンション４１を滑らすスロープになる。上下の鍔２２０の先端の間隔「ｍ」は、この間に磁気ディスク媒体２０を入れるので、その媒体厚以上大きいことが必要であるが、サスペンション４１の下側に入り込むことも必要で、それらを考慮して適切に決められる。鍔２２０の張り出しの長さ「ｌ」は、磁気ディスク媒体２０の外縁からの記録領域までの長さを考慮してここでは１．５ｍｍとしている。鍔２２０の上部のほぼ右側の領域がサスペンション４１を保持する保持部２２１となる。アームバー２１０の厚さ「ｎ」は、磁気ディスク媒体２０の厚さ「ｉ」とサスペンション４１の媒体面からの高さ「ｊ」によって定められる。
アームバー２１０の右側の端部は、留め具２３０の側面に形成した切り込み溝２３１に嵌め込み留め具２３０に固定されている。留め具２３０には、切り込み溝２３１と反対の側面に留めネジ用の孔２３２を設けている。留め具２３０の材質もアームバー２１０と同様にアルミニュムを用いている。
ガイドアーム２００は上記に示したように、磁気ディスク媒体２０の厚さ「ｉ」によってガイドバー２１０の厚さ「ｎ」が異なるので、媒体厚に対応して数種類の厚さを持つガイドアーム２００を製作しておく。現状において市場に出回っている媒体厚「ｉ」は、６種類程度であるので、これに合わせたガイドアーム２００を予め用意しておく。
【００２７】
図３は支柱を示し、ガイドアーム取付け部３１０とつまみ３２０とから成る。ガイドアーム取付け部３１０はこの例では長さ２０ｍｍ、直径５ｍｍの寸法で、材質はアルミニュムである。また、つまみ３２０はガイドアーム取付け部３１０にネジで螺合し固定するようにしているが、ガイドアーム取付け部３１０と一体であってもよい。また、図に示す形状に拘るものではない。
上記に示したガイドアーム２００および支柱３００はプラスチックであってもよいが、その場合は表面抵抗が１×１０の１２乗オーム／□以下であるように表面処理を施こすことが必要である。例えば、帯電防止剤を表面にコートする。静電気のチャージアップよる磁気ヘッドの破壊を防止するための対策（ＥＳＤ(Electro-Static Discharge)対策）である。
【００２８】
次に、磁気ディスク媒体２０上にあるサスペンション４１を、本発明の修理用治具１００に移動し、保持する例を説明する。図４は、磁気ディスク媒体２０に修理用治具１００のガイドアーム２１０の先端部を差し込み、サスペンション４１を移動して保持する状態を示している。修理用治具１００のガイドアーム２１０は、予め用意されたガイドアーム２１０の中から磁気ディスク媒体２０の媒体厚「ｉ」に合わせたものを選択し、磁気ディスク媒体２０の取付けピッチ「ｈ」に合わせてガイドアーム２１０間の間隔「ｋ」を定め、支柱３００にネジ４００により固定している。
【００２９】
図４の拡大図は、より詳細にサスペンション４１の移動／保持の状況を示すものである。アームバー２１０の鍔２２０の間隙を磁気ディスク２０の外縁部に挟み込み、磁気ディスク媒体２０上にあるサスペンション４１−１を「ｃ」の方向に向かって移動させる。サスペンション４１は鍔２２０の傾斜面に沿って滑り、さらに移動して保持部２２１の位置で停止し、ここで保持される。即ち、サスペンション４１は（１）の位置から（２）を経て、（３）の位置まで移動し、（３）の位置で保持される。保持部２２１の位置は、既に磁気ディスク媒体２０の外縁から外れた位置にあり、この保持部２２１にサスペンション４１を保持した状態で、例えば磁気ディスク媒体２０の取り外し作業を行うことになる。保持部２２１にサスペンション４１が保持された状態では、磁気ヘッド３０は従来の治具と同様に図９に示すようにサスペンション４１が開いた状態になるので、磁気ヘッド３０同士が互いに接触することはない。
磁気ディスク媒体２０の交換を行って、サスペンション４１を磁気ディスク媒体２０上に戻すときは、この逆を行う。即ち、保持部２２１にあるサスペンション４１を「ｄ」の方向に移動し、鍔２２０を滑りながら磁気ディスク媒体２０上に戻す。
上記のサスペンション４１の移動／保持の作業における修理用治具１００の磁気ディスク装置１０における位置は、例えば図５に示す位置に置かれる。サスペンション４１は図５の点線で示す位置（図４のサスペンション４１の（１）の位置に相当）から、実線で示す保持部の位置（同、（３）の位置に相当）まで移動することになる。
【００３０】
図５は、ＣＳＳ（Contact Start Stop）方式の磁気ディスク装置１０を示したが、ロードアンロード方式の場合は、ランプと近接する位置に修理用治具１００を置き、ランプ上にあるサスペンション４１を修理用治具１００に移し、修理用治具１００で保持した状態でランプをベース５０から取り外し、続いて例えば磁気ディスク媒体２０を取り外す作業を行うことになる。磁気ディスク媒体２０の交換が終了したときには、修理用治具１００で保持しているサスペンション４０を移動させてランプに戻すことになる。
上記に示したように、媒体厚に対応したガイドアーム２００を予め用意しておけば、媒体の枚数や取付けピッチが異なってもそれに合わせてネジ４００でガイドアーム２００の支柱への取付け位置を調整すればよく、汎用性が高い修理治具を提供することができる。
【００３１】
上の実施形態に関し、さらに以下の付記を開示する。
（付記１）
磁気ディスク媒体上にある磁気ヘッドのサスペンションを、先端部から張り出した鍔に沿って滑らせ所定位置に保持する保持部を有し、該先端部と反対の端部を留めネジ孔を設けた留め具に嵌着したガイドアームと、
複数の前記ガイドアームを、該ガイドアーム間の間隔を任意に設定して前記留めネジ孔にネジを螺合して固定する支柱と
を備えることを特徴とする磁気ディスク修理用治具。
（付記２）
前記鍔は、前記ガイドアームの先端部の上下２カ所に設けた
ことを特徴とする付記１に記載の磁気ディスク修理用治具。
（付記３）
前記鍔は、前記磁気ディスク媒体の表面の所定高さから上昇する傾斜面を有する
ことを特徴とする付記１または付記２に記載の磁気ディスク修理用治具。
（付記４）
前記鍔は、プラスチックである
ことを特徴とする付記１乃至付記３に記載の磁気ディスク修理用治具。
（付記５）
前記鍔、前記ガイドアームおよび前記支柱の表面は、静電気の帯電を防止する表面処理を施している
ことを特徴とする付記１乃至付記４に記載の磁気ディスク修理用治具。
（付記６）
前記プラスチックフィルムの鍔は、前記ガイドアームに導電性接着剤を用いて接着する
ことを特徴とす付記４に記載の磁気ディスク修理用治具。
（付記７）
前記鍔の張り出した先端は、前記磁気ディスク媒体の外縁から１．５ｍｍ以内にある
ことを特徴とする付記１乃至付記６に記載の磁気ディスク修理用治具。
【図面の簡単な説明】
【００３２】
【図１】磁気ディスク修理用治具の実施形態例である。
【図２】ガイドアームの実施形態例である。
【図３】支柱の実施形態例である。
【図４】本発明による治具によるサスペンションの移動例である。
【図５】磁気ディスク修理用治具の使用例である。
【図６】磁気ディスク装置の構成例である。
【図７】磁気ディスク媒体の保持構造例である。
【図８】従来の治具によるたサスペンションの移動例である。
【図９】治具にサスペンションを保持したときの磁気ヘッドの状態例である。
【符号の説明】
【００３３】
１０    磁気ディスク装置
２０    磁気ディスク媒体
２１    ディスクスペーサ
２２    ハブ
２３    ディスククランプ
２４    固定ネジ
２５    スピンドルモータ
３０    磁気ヘッド
４０    アクチュエータ
４１    サスペンション
４２    ヘッドアーム
５０    ベース
６０    治具
６１    鍔
１００  修理用治具（磁気ディスク修理用治具）
２００  ガイドアーム
２１０  アームバー
２２０  鍔
２２１  保持部
２３０  留め具
２３１  留めネジ用孔
３００  支柱
３１０  ガイドアーム取付け部
３２０  つまみ
４００  ネジ
【図１】
2008226288.tif 000003
【図２】
2008226288.tif 000004
【図３】
2008226288.tif 000005
【図４】
2008226288.tif 000006
【図５】
2008226288.tif 000007
【図６】
2008226288.tif 000008
【図７】
2008226288.tif 000009
【図８】
2008226288.tif 000010
【図９】
2008226288.tif 000011